(57)【特許請求の範囲】
【請求項１】
記録媒体の中央に設けたチャッキングホールに挿入する複数のリブからなる円筒状の記録媒体係止部を備えたケース本体部と該ケース本体部を開閉する蓋部を備えた記録媒体収納ケースにおいて、
前記記録媒体係止部を構成するリブは、前記チャッキングホールの内径よりも大径の円周上に外側面が配置された複数のクランプ用のリブと、前記クランプ用のリブの間において前記チャッキングホールの内径より小径の円周上に外側面が配置された複数の位置決め用のリブとに分けられていて、
前記クランプ用のリブが立設されている前記ケース本体部の内面の前記クランプ用のリブの根元部の周囲は、薄肉に形成されており、
複数のリブからなる円筒形状の前記記録媒体係止部の内側には、前記蓋部を閉じたときに前記蓋部を内面側から支えて前記ケース本体部内に記録媒体収納空間を確保する蓋支え部が設けられていることを特徴とする記録媒体収納ケース。
【請求項２】
請求項１において、
前記クランプ用のリブの周方向の長さは、前記位置決め用のリブの周方向の長さよりも短く形成されていることを特徴とする記録媒体収納ケース。
【請求項３】
請求項１において、
前記クランプ用のリブの肉厚は、前記位置決め用のリブの肉厚よりも薄肉に形成されていることを特徴とする記録媒体収納ケース。
【請求項４】
請求項１において、
前記クランプ用のリブは、根元部に近付くに従って小径となる下すぼまり状に形成されていることを特徴とする記録媒体収納ケース。
【請求項５】
請求項１において、
前記クランプ用のリブ及び／又は前記位置決め用のリブは、根元部に末広がり状の拡幅部を備えていて、この拡幅部は、前記クランプ用のリブ及び／又は前記位置決め用のリブの周縁部に形成された台座部の記録媒体載置面よりも低い位置に設けられていることを特徴とする記録媒体収納ケース。
【発明の詳細な説明】
【０００１】
【発明の属する技術分野】
本発明は、記録媒体の中央に設けたチャッキングホールに、複数のリブからなる円筒状の記録媒体係止部を挿入して、該記録媒体係止部により記録媒体を中央のチャッキングホール側から保持するようにした記録媒体収納ケースに関する。
【０００２】
【従来の技術】
記録媒体係止部により記録媒体の中央に設けたチャッキングホールを保持するようにした記録媒体収納ケースとして、例えば、図１４に示すように、コンパクトディスク（ＣＤ）に代表されるディスク状記録媒体である光ディスク１０１を収納する光ディスク収納ケース２０１が知られている。上記光ディスク収納ケース２０１は、光ディスク２を収納するトレー部２０２と、このトレー部２０２を収納するケース本体部２０３と、このケース本体部２０３にトレー部２０２を収納して閉蓋するケース蓋部２０４とからなっている。
【０００３】
ケース蓋部２０４は、端部両側の互いに向かい合っている支軸２０５，２０６によってケース本体部２０３に取り付けられていて、支軸２０５，２０６を中心にしてケース蓋部２０４を回動させることにより開閉自在になっている。トレー部２０２は、光ディスク１０１が収納できる面積に陥没した凹面部２０７を備えていて、該凹面部２０７の中心位置には記録媒体係止部２０８が設けられている。
【０００４】
そして、凹面部２０７に光ディスク１０１を載置すると、光ディスク１０１のチャッキングホール１０２に記録媒体係止部２０８が侵入して、光ディスク１０１をその中心のチャッキングホール１０２側から保持するようになっている。
【０００５】
記録媒体係止部２０８は、図１５に拡大して示したように、光ディスク１０１が収納される凹面部２０７より一段高く形成された台座部２０９上に、それぞれが独立した複数のリブ（係止爪）２１０…２１０を、光ディスク１０１のチャッキングホール１０２の内径よりもやや大径の円周上に起立させることにより形成されている。
【０００６】
光ディスク１０１のチャッキングホール１０２は、記録再生を行う際に記録再生装置の駆動部に係合するための開孔である。そして、上記チャッキングホール１０２を利用することにより、光ディスク１０１は、光ディスク収納ケース２０１への収納時に、トレー部２０２の凹面部２０７の略中央に設けた記録媒体係止部２０８に係合保持される。
【０００７】
上記構成からなる光ディスク収納ケース２０１に光ディスク１０１を収納するには、先ず、ケース蓋部２０４を回動して開き、光ディスク１０１の外周部を手で持ち、チャッキングホール１０２に記録媒体係止部２０８を押し込むと、リブ２１０…２１０が弾性変形して、チャッキングホール１０２の内周面に摩擦係合すると共に、光ディスク１０１の下面が台座部２０９に着座して、光ディスク１０１は光ディスク収納ケース２０１内に収納保持される。
【０００８】
光ディスク収納ケース２０１の台座部２０９上に保持された光ディスク１０１は、その信号読み取り面がトレー部２０２の凹面部２０７に接触しないので、信号読み取り面が傷つけられることがない。また、光ディスク１０１を光ディスク収納ケース２０１から取り出す際は、ケース蓋部２０４を回動させて開蓋した上で、光ディスク１０１の外周部を持ち、記録媒体係止部２０８を構成するリブ２１０…２１０の頂部を指で押圧し、これらリブ２１０…２１０を内側に変形させて、光ディスク１０１の外周部を上方に持ち上げることによって、トレー部２０２から取り出すようになっている。
【０００９】
【発明が解決しようとする課題】
上述したように、記録媒体係止部２０８は、台座部２０９上に、それぞれが独立した複数のリブ２１０…２１０を、光ディスク１０１のチャッキングホール１０２の内径よりもやや大径の円周上に起立させることにより形成されていたために、次に述べるような問題点があった。
（１）記録媒体係止部２０８を構成するリブ２１０…２１０は、弾性を持たせるために、互いに隙間Ｃ1を介して独立した状態になっているが、上記隙間Ｃ1を持たせただけでは、リブ２１０…２１０の弾性が不十分な場合がある。このような場合には、図１５に示したように、上記リブ２１０，２１０間の隙間Ｃ1の下端に連続させた状態で台座部２０９及びトレー部２０２を貫通する隙間（スリット）Ｃ2を形成し、この隙間Ｃ2によって、リブ２１０…２１０に更なる弾性を持たせることも考えられるが、台座部２０９及びトレー部２０２を貫通する隙間（スリット）Ｃ2を形成すると、該隙間Ｃ2を介して塵埃等が光ディスク１０１側に侵入する虞れがある。従来の光ディスク収納ケース２０１において、トレー部２０２をケース本体部２０３に収納するのは、上記トレー部２０２の隙間Ｃ2をケース本体部２０３で塞ぐことにより、外部の塵埃が侵入しないようにする意味もある。
（２）上述のように台座部２０９及びトレー部２０２を貫通する隙間Ｃ2を塞ぐために、トレー部２０２をケース本体部２０３に収納する構成とすると、その分、部品点数が増えて、製造コストも高くなる。
【００１０】
そこで本発明は、台座部２０９及びトレー部２０２を貫通する隙間（スリット）Ｃ2を形成することなく、リブ２１０…２１０の弾性を向上させることができるようにして、上記従来の問題点を解決したものである。
【００１１】
【課題を解決するための手段】
本発明は、記録媒体の中央に設けたチャッキングホールに挿入する複数のリブからなる記録媒体係止部を備えたケース本体部と、該ケース本体部を開閉する蓋部を備えた記録媒体収納ケースにおいて、
記録媒体係止部を構成する複数のリブを、上記チャッキングホールの内径よりも大径の円周上に外側面が配置された複数のクランプ用のリブと、複数のクランプ用のリブ間において上記チャッキングホールの内径より小径の円周上に外側面が配置された複数の位置決め用のリブとに分け、クランプ用のリブが立設されているケース本体部の内面の上記クランプ用のリブ根元部の周囲を凹ませて薄肉部を形成することにより、
上記薄肉部によってクランプ用のリブに弾性を付与し、これらクランプ用のリブによってチャッキングホールの内周面を柔軟に保持すると共に、落下等の不測の事故により、ケースに過度の衝撃が加わった場合には、位置決め用のリブで衝撃を受けて、クランプ用のリブが過度に撓んで破損するのを未然に防止できるようにした。また、上記薄肉部によってクランプ用のリブに弾性を付与することにより、従来のようにリブに弾性を付与するためのスリットを設ける必要をなくして塵埃等の侵入を防止できるようにした。
更に、複数のリブからなる円筒形状の記録媒体係止部の内側には、蓋部を閉じたときに蓋部を内面側から支えてケース本体部内に記録媒体収納空間を確保する蓋支え部を設けた。
【００１２】
【発明の実施の形態】
第１の実施の形態
第１の実施の形態の記録媒体収納ケースを図１、図２、図３、図４を参照して説明する。図１は記録媒体収納ケースの蓋を開いている状態の斜視図、図２は記録媒体収納ケースの蓋を閉じている状態の斜視図、図３は記録媒体係止部の拡大斜視図、図４は記録媒体係止部の拡大平面図、図５は記録媒体係止部の断面図、図６は拡幅部の拡大断面図、図６は拡幅部の変形例の拡大断面図である。
【００１３】
図１に示したように、記録媒体収納ケース１は、トレーを兼ねたケース本体部２と、蓋部３とで構成されている。図２に示したように、記録媒体収納ケース１は、蓋部３を閉じた状態においては薄形矩形状の箱体になる。
【００１４】
上記ケース本体部２と蓋部３は、ポリスチレン（ＰＳ，ＧＰ−ＰＳ）、ハイインパクトポリスチレン（ＨＩ−ＰＳ）、アクリルスチロール（ＡＳ）、アクリルブチレンスチロール（ＡＢＳ）、ポリプロピレン（ＰＰ）、ポリエチレン（ＰＥ）、ポリカーボネート（ＰＣ）等の熱可塑性合成樹脂を射出成形することにより製造される。
【００１５】
図１、図２に示すように、蓋部３は、一対の支持軸４，５によってケース本体部２に回動開閉可能に取り付けられている。
【００１６】
ケース本体部２は、内面の中央部に台座部１１を備えていると共に、上記台座部１１の中央部に、記録媒体としての光ディスク１０１の中央に設けたチャッキングホール１０２に挿入する円筒状の記録媒体係止部１２を備えている。また、上記台座部１１の外周部に、光ディスク１０１を収容する光ディスク収納部１３を構成する複数の円弧状壁１４…１４を備えている。
【００１７】
上記複数の円弧状壁１４…１４は、光ディスク１０１の寸法精度や熱膨張による拡径等を考慮すると共に、ケース本体部２及び／又は蓋部３に外力が加わって、これらケース本体部２及び／又は蓋部３が変形したような場合でも、光ディスク１０１の外周面が接触することのない大きさに形成されている。
【００１８】
ケース本体部２は、前面端部側を除く他の３辺に後部壁２１及び左右一対の側壁２２，２３を備えている。また、蓋部３は、後面端部側を除く他の３辺に前部壁３１及び左右一対の側壁３２，３３を備えている。ケース本体部２に対して蓋部３を閉じた状態にすると、ケース本体部２の左右一対の側壁２２，２３の内面に、蓋部３の左右一対の側壁３２，３３の外面が重なり合う。そして、ケース本体部２の後部壁２１及び左右一対の側壁２２，２３と、上記蓋部３の前部壁３１及び左右一対の側壁３２，３３によって、記録媒体収納ケース１の前後、左右の側壁が形成される。
【００１９】
ケース本体部２の左右一対の側壁２２，２３の内面と、蓋部３の左右一対の側壁３２，３３の外面には、閉蓋状態において互いに係合する凹，凸部４１，４２が設けられていて、閉蓋状態を維持するようになっている。蓋部３の略中央部には指掛け用の凹部４３が設けられていて、この指掛け用の凹部４３に指を掛けて蓋部３を開くことができるようになっている。
【００２０】
記録媒体係止部１２は、第１から第６までの６個のリブ１２ａ〜１２ｆで構成されている。上記第１から第６までの６個のリブ１２ａ〜１２ｆは、図４に示したように、チャッキングホール１０２の内径よりも大径の円周Ｃ1上に外側面が配置された円弧状の第１，第３，第５のリブ１２ａ，１２ｃ，１２ｅ（以下、第１，第３，第５のリブをクランプ用のリブという）と、第１，第３，第５のクランプ用のリブ１２ａ，１２ｃ，１２ｅの間においてチャッキングホール１０２の内径より小径の円周Ｃ2上に外側面が配置された円弧状の第２，第４，第６のリブ１２ｂ，１２ｄ，１２ｆ（以下、第２，第４，第６のリブをクランプ用のリブという）に分けられている。
【００２１】
第１，第３，第５のクランプ用のリブ１２ａ，１２ｃ，１２ｅの根元部の周囲には、薄肉部５１が設けられている。薄肉部５１は、台座部１１の上記第１，第３，第５のクランプ用のリブ１２ａ，１２ｃ，１２ｅの根元部の周囲を凹ませて凹部５２を設けることにより形成されている。凹部５２は、台座部１１の肉厚と略同じかそれよりも深く形成されている。
【００２２】
第１，第３，第５のクランプ用のリブ１２ａ，１２ｃ，１２ｅの周方向の長さＬ1は、第２，第４，第６の位置決め用のリブ１２ｂ，１２ｄ，１２ｆの周方向の長さＬ2よりも短く形成されている。
【００２３】
図５に示したように、第１，第３，第５のクランプ用のリブ１２ａ，１２ｃ，１２ｅの肉厚Ｔ1は、第２，第４，第６の位置決め用のリブ１２ｂ，１２ｄ，１２ｆの肉厚Ｔ2よりも薄肉に形成されている。
【００２４】
図６に示したように、第１，第３，第５のクランプ用のリブ１２ａ，１２ｃ，１２ｅの外側面は、根元部に近付くに従って小径となる下すぼまり状に形成されている。
【００２５】
第１，第３，第５のクランプ用のリブ１２ａ，１２ｃ，１２ｅ及び／又は第２，第４，第６の位置決め用のリブ１２ｂ，１２ｄ，１２ｆは、根元部にアール状の末広がり状の拡幅部５３を有している。拡幅部５３は、台座部１１の上面の高さ位置よりも低い位置に形成されている。なお、実施例では、記録媒体係止部１２をそれぞれ３個づつのクランプ用のリブ及び位置決め用のリブで構成した場合を示したが、クランプ用のリブ及び位置決め用のリブの数は、２個づつでも４個づつでももよく、その数は本発明の目的を達成するのに適正な数であればよい。また、クランプ用のリブと位置決め用のリブの数は、いずれか一方が偶数で他方が奇数であってもよい。
【００２６】
次に、上記第１の実施の形態の記録媒体収納ケース１の作用について説明する。記録媒体収納ケース１の使用に際しては、先ず蓋部３を開いて光ディスク１０１の中央に設けたチャッキングホール１０２にケース本体部２の中央部に設けた記録媒体係止部１２を挿入する。上述したように、記録媒体係止部１２の第１，第３，第５のクランプ用のリブ１２ａ，１２ｃ，１２ｅの外側面は、チャッキングホール１０２の内径よりも大径の円周位置に形成され、且つ、根元部に近付くに従って小径となる下すぼまり状に形成されていると共に、これら第１，第３，第５のクランプ用のリブ１２ａ，１２ｃ，１２ｅの根元部の周囲には、薄肉部５１が設けられている。従って、第１，第３，第５のクランプ用のリブ１２ａ，１２ｃ，１２ｅは、弾性に富み、光ディスク１０１の中央に設けたチャッキングホール１０２に挿入し易いものになると共に、挿入後は弾性復帰して光ディスク１０１をチャッキングホール１０２の内周面側から柔軟かつ確実に保持する。
【００２７】
また、上述のようにして光ディスク１０１の収納した記録媒体収納ケース１を運搬中に誤って落としてしまう等して、光ディスク１０１に強い衝撃が掛かったような場合には、第１，第３，第５のクランプ用のリブ１２ａ，１２ｃ，１２ｅが撓んで衝撃を吸収する。
【００２８】
第１，第３，第５のクランプ用のリブ１２ａ，１２ｃ，１２ｅが所定量以上撓むと、チャッキングホール１０２の内周面は、第２，第４，第６の位置決め用のリブ１２ｂ，１２ｄ，１２ｆに当接して、第１，第３，第５のクランプ用のリブ１２ａ，１２ｃ，１２ｅを保護する。
【００２９】
第２，第４，第６の位置決め用のリブ１２ｂ，１２ｄ，１２ｆの周方向の長さＬ2は、第１，第３，第５のクランプ用のリブ１２ａ，１２ｃ，１２ｅの周方向の長さＬ1よりも長く、また、第２，第４，第６の位置決め用のリブ１２ｂ，１２ｄ，１２ｆの肉厚Ｔ2は、第１，第３，第５のクランプ用のリブ１２ａ，１２ｃ，１２ｅの肉厚Ｔ1よりも厚く形成されているので容易に撓むことなく確実に光ディスク１０１の位置決め用のリブ（ストッパー）として作用して、第１，第３，第５のクランプ用のリブ１２ａ，１２ｃ，１２ｅを折損等から保護する。
【００３０】
第１，第３，第５のクランプ用のリブ１２ａ，１２ｃ，１２ｅの根元部の薄肉部５１は、第１，第３，第５のクランプ用のリブ１２ａ，１２ｃ，１２ｅに弾性、柔軟性を持たせるためのものであり、台座部１１の肉厚よりも薄く形成されている。
【００３１】
上記薄肉部５１の肉厚は、ケース本体部２の材質にもよるが、ポリスチレン（ＰＳ，ＧＰ−ＰＳ）の場合には、０．２ｍｍ以上、１．２ｍｍ以下がよいが、更に望ましくは０．５ｍｍ以上、０．９ｍｍ以下がよい。０．２ｍｍ以下であると、ケース本体部２を射出成型する際に、薄肉部５１に樹脂が十分に回り込まず、穴があいてしまうなどの成型不良を起こす虞れがあり、また、薄肉部５１の強度が不十分になって、第１，第３，第５のクランプ用のリブ１２ａ，１２ｃ，１２ｅが撓んだ際、或はケースを誤って落した場合などに破損する虞れがある。一方、薄肉部５１の肉厚を１．２ｍｍ以上にすると必要とする弾性を得にくくなったり、光ディスク１０１をクランプする力が大きくなりすぎて、光ディスク１０１を変形させてしまう虞れがある。
【００３２】
また、第１，第３，第５のクランプ用のリブ１２ａ，１２ｃ，１２ｅの根元部に設けた末広がり状の拡幅部５３は、凹部５２の底面、即ち薄肉部５１との結合強度を高めるためのものである。上記拡幅部５３は、凹部５２の高さの範囲内に収まっていて、台座部１１上に光ディスク１０１を載置したときに、光ディスク１０１を持ち上げてしまうことのないようになっている。上記拡幅部５３は、図６に示したように、アール状であっても、図７に示してように、直線状の傾斜面であってもよい。
【００３３】
また、図５に示したように、第２，第４，第６の位置決め用のリブ１２ｂ，１２ｄ，１２ｆの根元部にも末広がり状の拡幅部５４が設けられていると共に、この拡幅部５４は、第２，第４，第６の位置決め用のリブ１２ｂ，１２ｄ，１２ｆの根元部に設けられた凹部５５内に配置されている。第２，第４，第６の位置決め用のリブ１２ｂ，１２ｄ，１２ｆの根元部に設けられた凹部５５は、第１，第３，第５のクランプ用のリブ１２ａ，１２ｃ，１２ｅの根元部に設けた凹部５２よりも若干浅く形成されている。
【００３４】
第２の実施の形態
第２の実施の形態の記録媒体収納ケースを図８、図９、図１０を参照して説明する。図８は記録媒体収納ケースの蓋を開いている状態の斜視図、図９は記録媒体係止部の拡大斜視図、図１０は記録媒体収納ケースの蓋を閉じている状態の断面図である。
【００３５】
第２の実施形態の記録媒体収納ケース１は、光ディスク１０１の中央に設けたチャッキングホール１０２に挿入する円筒状の記録媒体係止部１２の内周に、蓋部３を内側から支える蓋支え部６１を備えている。蓋支え部６１は、記録媒体係止部１２と干渉しない位置、即ち、第１，第３，第５のクランプ用のリブ１２ａ，１２ｃ，１２ｅが撓んだ際にも、これらが干渉することのない位置に、且つ記録媒体係止部１２の高さの略２倍の高さにケース本体部２と一体に樹脂成形されている。
【００３６】
そして、蓋部３を閉じた状態にすると、図１０に示したように、蓋支え部６１は、蓋部３の内面の中央部を内側から支えて、蓋部３とケース本体部２との間に記録媒体収納空間を確保するようになっている。
【００３７】
蓋支え部６１を中空に形成したのは、蓋支え部６１を中実に形成すると樹脂成型時に所謂ヒケが生じて、ケース本体部２の外観を損なうのを防ぐためであり、蓋支え部６１は、中実であってもよい。また、蓋支え部６１の形状は、円柱形に限定されず四角形や三角形であってもよい。他の構成は第１の実施の形態と同様であるので同一構成部分には同一符号を付して重複する説明を省略する。
【００３８】
第２の実施形態の記録媒体収納ケース１は、上述のような構成であるから、ケース本体部２や蓋部３に外力が加わって、これらケース本体部２や蓋部３が多少変形したような場合でも、ケース本体部２や蓋部３の間に記録媒体収納空間を確保し、該記録媒体収納空間に収納されている光ディスク１０１を保護することができる。
【００３９】
第３の実施の形態
第３の実施の形態の記録媒体収納ケースを図１１、図１２を参照して説明する。図１１は記録媒体収納ケースの蓋が開いている状態の斜視図、図１２は記録媒体収納ケースの蓋が閉じている状態の断面図である。
【００４０】
第３の実施形態の記録媒体収納ケース１は、ケース本体部２と蓋部３の両方に第１又は第２の実施形態の記録媒体収納ケース１と同様の記録媒体係止部１２を設けたものを示す。
【００４１】
ケース本体部２と蓋部３に設けられた記録媒体係止部１２は、第１の実施形態の記録媒体係止部１２と同様に形成されていて、ケース本体部２と蓋部３のそれぞれに１枚づつ光ディスク１０１を取る付けることができるようになっている。
【００４２】
一方、ケース本体部２に設けられた光ディスク収納部１２を構成する複数の円弧状壁１４…１４は、第１の実施形態又は第２の実施形態の円弧状壁１４…１４の略２倍の高さに形成されている。
【００４３】
そして、蓋部３を閉じた状態にすると、図１２に示したように、ケース本体部２に取り付けた光ディスク１０１はもとより、蓋部３に取り付けた光ディスク１０１も上記円弧状壁１４…１４内に収納されるようになっている。なお、実施例ではケース本体部２の円弧状壁１４…１４の高さを第１の実施形態又は第２の実施形態の円弧状壁１４…１４の略２倍の高さにした場合を示したが、ケース本体部２の円弧状壁１４…１４の高さを第１の実施形態又は第２の実施形態の円弧状壁１４…１４のものと同じにして、蓋部３側にもケース本体部２の円弧状壁１４…１４と略同じ高さの円弧状壁１４…１４を設ける構成にしてもよい。他の構成は第１の実施の形態又は第２の実施の形態と同様であるので同一構成部分には同一符号を付して重複する説明を省略する。
【００４４】
第４の実施の形態
第４の実施の形態の記録媒体収納ケースを図１３を参照して説明する。図１３は記録媒体収納ケースの蓋が開いている状態の斜視図である。
【００４５】
第４の実施形態の記録媒体収納ケースは、上記第１〜第３の実施の形態の記録媒体収納ケースが光ディスク１０１等のディスク状記録媒体を収納するものとして構成されているのに対して、カード状記録媒体３０１を収納する記録媒体収納ケースとして構成した場合を示す。カード状記録媒体３０１として、例えば国際公開ＷＯ０９９／００７６５１１に記載されたものが知られている。上記カード状記録媒体３０１は、光ディスク１０１と同様に中央部にチャッキングホール３０２を備えている。
【００４６】
記録媒体収納ケース１は、カード状記録媒体３０１の中央に設けたチャッキングホール３０２に挿入する複数のリブからなる記録媒体係止部１２を備えたケース本体部２と、該ケース本体部２を開閉する蓋部３を備えている。ケース本体部２と蓋部３は、カード状記録媒体３０１に見合う大きさに形成されている。また、記録媒体係止部１２は、カード状記録媒体３０１のチャッキングホール３０２に見合う大きさに形成されている。
【００４７】
記録媒体収納ケース１及び記録媒体係止部１２の具体的な構成は、上記第１〜第３の実施形態の記録媒体収納ケースの場合と略同じである（第４の実施の形態の記録媒体収納ケースにおいては、第１〜第３の実施の形態の記録媒体収納ケースにおける円弧状壁１４は不要である）ので同一構成は部分には同一符号を付して重複する説明を省略する。
【００４８】
第４の実施形態の記録媒体収納ケース１は、上述のような構成であり、上記薄肉部５１によってクランプ用のリブ１２ａ，１２ｃ，１２ｅに弾性を付与し、これらクランプ用のリブ１２ａ，１２ｃ，１２ｅによって、カード状記録媒体３０１をチャッキングホール３０２の内周面側からを柔軟に保持すると共に、落下等の不測の事故により、記録媒体収納ケース１に衝撃が加わった場合には、先ず、クランプ用のリブ１２ａ，１２ｃ，１２ｅで衝撃を吸収した後に、位置決め用のリブ１２ｂ，１２ｄ，１２ｆで衝撃を受けて、クランプ用のリブ１２ａ，１２ｃ，１２ｅが過度に撓んで破損するのを未然に防止する。
【００４９】
【発明の効果】
本発明の記録媒体収納ケースには、次に述べるような効果がある。
（１）本発明の記録媒体収納ケースは、記録媒体係止部を構成する複数のリブを、記録媒体のチャッキングホールの内径よりも大径の円周上に外側面が配置された複数のクランプ用のリブと、上記チャッキングホールの内径より小径の円周上に外側面が配置された複数の位置決め用のリブとで構成すると共に、上記クランプ用のリブが立設されているケース本体部の内面の上記クランプ用のリブ根元部の周囲に薄肉部を形成したので、薄肉部によってクランプ用のリブに弾性を付与し、これらクランプ用のリブによってチャッキングホールの内周面を柔軟に保持する。そして、落下等の不測の事故により、ケースに過度の衝撃が加わった場合には、位置決め用のリブで衝撃を受けて、クランプ用のリブが過度に撓んで破損するのを未然に防止する。また、薄肉部によってクランプ用のリブに弾性を付与することにより、従来のようにクランプ用のリブに弾性を付与するのでスリットを設ける必要がなくなるので、ケースの密閉性を向上させることができる。
（２）記録媒体収納ケースは、クランプ用のリブの周方向の長さを位置決め用のリブの周方向の長さよりも短く形成して、クランプ用のリブを位置決め用のリブよりも撓み易くしたので、記録媒体収納ケースを誤って落とす等して、記録媒体収納ケースに強い衝撃が掛かったような場合には、クランプ用のリブが撓んで衝撃を吸収して記録媒体を保護する。また、クランプ用のリブが所定量以上撓むと、位置決め用のリブに記録媒体のチャッキングホールの内面が当接して、クランプ用のリブが更に撓むのを阻止して、クランプ用のリブが破損するのを防止する。
（３）記録媒体収納ケースは、クランプ用のリブの肉厚を、位置決め用のリブの肉厚よりも薄肉に形成して、クランプ用のリブを位置決め用のリブよりも撓み易くしたので、記録媒体収納ケースを誤って落とす等して、記録媒体収納ケースに強い衝撃が掛かったような場合には、クランプ用のリブが撓んで衝撃を吸収して記録媒体を保護する。また、クランプ用のリブが所定量以上撓むと、位置決め用のリブに記録媒体のチャッキングホールの内面が当接して、クランプ用のリブが更に撓むのを阻止して、クランプ用のリブが破損するのを防止する。
（４）記録媒体収納ケースは、クランプ用のリブを根元部に近付くに従って小径となる下すぼまり状に形成したので、記録媒体のチャッキングホールを挿入した際に、記録媒体を押し下げる力が働き、記録媒体の脱落を防止する。
（５）また、記録媒体収納ケースは、クランプ用のリブ及び／又は位置決め用のリブの根元部に末広がり状の拡幅部を設けたので、クランプ用のリブ及び／又は位置決め用のリブの根元部とケースの薄肉部の接合強度が向上する。また、上記拡幅部をクランプ用のリブ及び位置決め用のリブを設けた台座部の高さよりも低い位置に形成したので、記録媒体を台座部上に載置する場合に、上記拡幅部で記録媒体が持ち上げられてしまうというようなことを防止する。
（６）更に、記録媒体収納ケースは、複数のリブからなる円筒形状の記録媒体係止部の内側に、蓋部を閉じたときに蓋部を内面側から支えてケース本体部内に記録媒体収納空間を確保するストッパーを設けたので、ケース本体部や蓋部に外力が加わって、これらケース本体部や蓋部が多少変形したような場合でも、ケース本体部と蓋部の間に記録媒体収納空間を確保し、該記録媒体収納空間に収納されている記録媒体を保護することができる。
【図面の簡単な説明】
【図１】第１の実施形態の記録媒体収納ケースの蓋が開かれている状態の斜視図。
【図２】第１の実施形態の記録媒体収納ケースの蓋を閉じられている状態の斜視図。
【図３】記録媒体係止部の拡大斜視図。
【図４】記録媒体係止部の拡大平面図。
【図５】図４のＡ−Ａ断面図。
【図６】拡幅部の拡大断面図。
【図７】拡幅部の変形例の拡大断面図。
【図８】第２の実施形態の記録媒体収納ケースの蓋が開かれている状態の斜視図。
【図９】記録媒体係止部の拡大斜視図。
【図１０】蓋部が閉じられている状態の記録媒体係止部の断面図。
【図１１】第３の実施形態の記録媒体収納ケースの蓋が開かれている状態の斜視図。
【図１２】蓋部が閉じられている状態の記録媒体係止部の断面図。
【図１３】第４の実施形態の記録媒体収納ケースの蓋が開かれている状態の斜視図。
【図１４】従来の記録媒体収納ケースの蓋が開かれている状態の斜視図。
【図１５】記録媒体係止部の拡大斜視図。
【符号の説明】
１…記録媒体収納ケース、２…ケース本体部、３…蓋部、１１…台座部、１２…記録媒体係止部、１２ａ，１２ｃ，１２ｅ…クランプ用のリブ、１２ｂ，１２ｄ，１２ｆ…位置決め用のリブ、５１…薄肉部、５２…凹部、５３…拡幅部、１０１…光ディスク、１０２…チャッキングホール、３０１…カード状記録媒体、３０２…チャッキングホール。
【図１】
0004352638.tif 000002
【図２】
0004352638.tif 000003
【図３】
0004352638.tif 000004
【図４】
0004352638.tif 000005
【図５】
0004352638.tif 000006
【図６】
0004352638.tif 000007
【図７】
0004352638.tif 000008
【図８】
0004352638.tif 000009
【図９】
0004352638.tif 000010
【図１０】
0004352638.tif 000011
【図１１】
0004352638.tif 000012
【図１２】
0004352638.tif 000013
【図１３】
0004352638.tif 000014
【図１４】
0004352638.tif 000015
【図１５】
0004352638.tif 000016